(57)【要約】      （修正有）【課題】二本の傘骨により傘布を支持し、傘布とともに一つの堅牢な弧形を作り、大風に吹かれても反転しにくく、嵐や豪雨で使用するのに適する無縫製傘布フレームを提供する。【解決手段】間接爪、親骨、キャップ、上溝、受骨、下溝、スイッチスリーブ、中棒、ハンドル、骨用溝、傘布、露先を含む２分割の防風無縫製傘布フレームにおいて、中棒が中心軸の位置に取り付けられて中心軸として使用され、キャップ３、上溝４、受骨５、下溝６、骨用溝７、スイッチスリーブ８が上から下の順に中棒に取り付けられ、各組の親骨２は二本の親骨の開き端が寄せ集めてから離間した状態を成し、親骨の寄せ集め部分が上溝に接続され、間接爪１が親骨に取り付けられ、受骨が間接爪とヒンジで連結している状態を成し、受骨がＹ字状を成し、それぞれ下溝及び骨用溝に接続され、親骨が傘布の開閉を制御し、露先が親骨の離間部分の端末に取り付けられている。【選択図】図１
0003220589.tif 000002
【実用新案登録請求の範囲】
【請求項１】
間接爪、親骨、キャップ、上溝、受骨、下溝、スイッチスリーブ、中棒、ハンドル、骨用溝、傘布、露先を含む２分割の防風無縫製傘布フレームにおいて、前記中棒が中心軸の位置に取り付けられて中心軸として使用され、前記キャップ、上溝、受骨、下溝、骨用溝、スイッチスリーブが上から下の順に中棒に取り付けられ、各組の親骨は二本の親骨の開き端が寄せ集めてから離間した状態を成し、前記親骨の寄せ集め部分が前記上溝に接続され、前記間接爪が前記親骨に取り付けられ、前記受骨が間接爪とヒンジで連結している状態を成し、前記受骨がＹ字状を成し、それぞれ下溝及び骨用溝に接続され、前記親骨が傘布の開閉を制御するためのものであり、前記露先が親骨の離間部分の端末に取り付けられていることを特徴とする２分割の防風無縫製傘布フレーム。
【請求項２】
前記親骨は２分割の弧形構造であることを特徴とする請求項１に記載の２分割の防風無縫製傘布フレーム。
【請求項３】
前記傘布は一枚の無縫製構造であることを特徴とする請求項１に記載の２分割の防風無縫製傘布フレーム。
【請求項４】
前記間接爪は親骨に取り付けられて親骨の一端が寄せ集め他端が離間するように確保することを特徴とする請求項１に記載の２分割の防風無縫製傘布フレーム。
【請求項５】
前記受骨はヒンジで親骨に連結されていることを特徴とする請求項１に記載の２分割の防風無縫製傘布フレーム。
【請求項６】
前記ハンドルは中棒のテール部に取り付けられていることを特徴とする請求項１に記載の２分割の防風無縫製傘布フレーム。
【請求項７】
前記露先は傘布に接続されていることを特徴とする請求項１に記載の２分割の防風無縫製傘布フレーム。
【考案の詳細な説明】
【技術分野】
【０００１】
本考案は雨傘に関り、具体的には新規の２分割の防風無縫製傘布フレームに関る。
【背景技術】
【０００２】
従来の雨傘は、傘骨が一本であり、一つのユニットにおいて一本の傘骨で傘布を支持するため、大風に吹かれると反転しやすくなるものである。嵐や豪雨の天気には耐えられない。
【考案の概要】
【考案が解決しようとする課題】
【０００３】
本考案は、新規の２分割の防風無縫製傘布フレームを提供することを目的とし、その傘骨は伝統を打ち破り、一つのユニットにおいて一本の傘骨ではなく二本の傘骨により傘布を支持し、且つ傘布とともに一つの堅牢な弧形を作り、大風に吹かれても反転しにくく、傘布を一枚の無縫製構造とし、雨漏れ及び雨霧の形成を防止し、嵐や豪雨の天気で使用するのに適するものであり、今まで最も防風・防雨機能を備えた雨傘である。
【課題を解決するための手段】
【０００４】
２分割の防風無縫製傘布フレームは、間接爪、親骨、キャップ、上溝、受骨、下溝、スイッチスリーブ、中棒、ハンドル、骨用溝、傘布、露先を含むものであり、前記中棒が中心軸の位置に取り付けられて中心軸として使用され、前記キャップ、上溝、受骨、下溝、骨用溝、スイッチスリーブが上から下の順に中棒に取り付けられ、前記各組の親骨は、二本の親骨の開き端が寄せ集めてから離間した状態を成し、前記親骨の寄せ集め部分が前記上溝に接続され、前記間接爪が前記親骨に取り付けられ、前記受骨が間接爪とヒンジで連結している状態を成し、前記受骨がＹ字状を成し、それぞれ下溝及び骨用溝に接続され、前記親骨が傘布の開閉を制御するためのものであり、前記露先が親骨の離間部分の端末に取り付けられていることを特徴とする。
【０００５】
更に、前記親骨は２分割の弧形構造である。
【０００６】
更に、前記傘布は一枚の無縫製構造である。
【０００７】
更に、前記間接爪は親骨の一端が寄せ集め他端が離間するように確保する。
【０００８】
更に、前記受骨は親骨とヒンジで連結している状態を成している。
【０００９】
更に、前記ハンドルは中棒のテール部に取り付けられている。
【００１０】
更に、前記露先は傘布に接続されている。
【００１１】
本考案は次の有益な効果を備えており、即ち、本装置は構造が簡単で、設計が巧みであり、本装置の２分割の傘骨構造は雨傘の耐風性能及び耐雨性能を効率的に強化し、製造した雨傘は今まで最も防風・防雨機能を備えた雨傘である。
【図面の簡単な説明】
【００１２】
【図１】は２分割の傘骨組構造の模式図である。
【図２】は２分割の傘骨組を備えた雨傘構造の模式図である。
【考案を実施するための形態】
【００１３】
以下は、本考案の好ましい実施の形態であるが、本考案の技術的な範囲はこれに限定されるものではない。
【００１４】
２分割の防風の無縫製傘布フレームは間接爪１、親骨２、キャップ３、上溝４、受骨５、下溝６、スイッチスリーブ８、中棒９、ハンドル１０、骨用溝７、傘布１１、露先１２を含むものであり、前記中棒９が中心軸の位置に取り付けられて中心軸として使用され、前記キャップ３と前記上溝４と前記受骨５と前記下溝６と前記骨用溝７と前記スイッチスリーブ８が上から下の順に中棒９に取り付けられ、前記各組の親骨２は、二本の親骨の開き端が寄せ集めてから離間した状態を成し、前記親骨２の寄せ集め部分が上溝４に接続され、前記間接爪１が親骨に取り付けられ、前記受骨５が間接爪１とヒンジで連結している状態を成し、前記受骨５がＹ字状を成し、それぞれ下溝及６び骨用溝７に接続され、前記間接爪１が親骨２の一端が寄せ集め他端が離間するように確保し、前記親骨２が傘布１１の開閉を制御するためのものであり、前記露先１２が親骨２の離間部分の端末に取り付けられ、前記受骨５がヒンジで親骨２に連結され、前記ハンドル１０が中棒９のテール部に取り付けられていることを特徴とする。
【００１５】
更に、前記親骨２は２分割の弧形構造であり、前記親骨２は上溝４に取り付けられ、前記傘布１１は一枚の無縫製構造であり、前記受骨は親骨とヒンジで連結している状態を成し、前記傘布１１は露先１２に接続されている。
【００１６】
本考案は新規の２分割の防風無縫製傘布フレームを設計し、本装置は構造が簡単で、設計が巧みであり、本装置の２分割の傘骨構造は雨傘の耐風性能及び耐雨性能を効率的に強化し、製造した雨傘は今まで最も防風・防雨機能を備えた雨傘である。
【００１７】
以上は、本考案の好ましい実施の形態にすぎず、当業者にとって、本考案の技術原理を逸脱しない限り、いくつかの改良や添削を行うことができ、これらの改良や添削も本考案の技術的な範囲に収まれるべきである。
【符号の説明】
【００１８】
１：間接爪、２：親骨、３：キャップ、４：上溝、５：受骨、６：下溝、７：骨用溝、８：スイッチスリーブ、９：中棒、１０：ハンドル、１１：傘布、１２：露先
【図１】
0003220589.tif 000003
【図２】
0003220589.tif 000004